(57)【特許請求の範囲】
【請求項１】
ボトム衣類であって、
本体と、一対のヒップ支持部材と、一対の芯地とを含み、
前記一対のヒップ支持部材のうち、
一方は、着用時において、左臀溝に沿うように前記本体の肌側に配置され、かつ、その後中心側の一端が前記本体の股部付近に固定され、その他端が脇付近で前記本体に固定されており、
他方は、着用時において、右臀溝に沿うように前記本体の肌側に配置され、かつ、その後中心側の一端が前記本体の股部付近に固定され、その他端が脇付近で、前記本体に固定されており、
前記一対のヒップ支持部材は、それぞれ、その下辺で折り返されている折り返し形状であり、
前記一対の芯地のうち、
一方は、前記一方のヒップ支持部材の肌側と本体側との間に配置され、かつ、前記本体側に固定されているが、前記肌側から遊離されており、
他方は、前記他方のヒップ支持部材の肌側と本体側との間に配置され、かつ、前記本体側に固定されているが、前記肌側から遊離されており、
前記一対の芯地が、互いに分離されていることを特徴とするボトム衣類。
【請求項２】
さらに、ベルト部材を含み、
前記ベルト部材は、前記本体の上端領域に固定されており、
前記一対のヒップ支持部材は、それぞれ、前記他端が前記ベルト部材で固定されている、請求項１記載のボトム衣類。
【請求項３】
前記一対の芯地は、それぞれ、臀溝に略沿う方向における向かい合う一対の辺が、対応する前記一対のヒップ支持部材の前記本体側に固定されている、請求項１又は２記載のボトム衣類。
【請求項４】
前記一対の芯地は、それぞれ、臀溝に略沿う方向の緊締力が、前記方向に対する略直交方向の緊締力よりも、相対的に大きい、請求項１から３のいずれか一項に記載のボトム衣類。
【請求項５】
前記芯地の緊締力が、前記本体の緊締力及び前記ヒップ支持部材の緊締力よりも相対的に大きい、請求項１から４のいずれか一項に記載のボトム衣類。
【請求項６】
前記ボトム衣類が、ショーツである、請求項１から５のいずれか一項に記載のボトム衣類。
【発明の詳細な説明】
【技術分野】
【０００１】
本発明は、ボトム衣類に関する。
【背景技術】
【０００２】
従来から、ヒップアップ用のインナーボトム衣類として、ガードル、補整パンツ等が使用されている。これらのボトム衣類は、一般的に、本体に緊締力のある素材を使用し、臀部の下部に対応する領域に、前記本体よりも緊締力が強い機能を付与することで、着用者のヒップアップを実現している（例えば、特許文献１）。
【先行技術文献】
【特許文献】
【０００３】
【特許文献１】特開平１０−１１０３０４号公報
【発明の概要】
【発明が解決しようとする課題】
【０００４】
しかし、これらのボトム衣類では、緊締力の強い素材を本体に使用するため、つけ心地が楽ではなく、かつ、外観が悪く、お洒落さに欠けるという問題がある。また、これらのボトム衣類は、臀部全体を一枚の布で覆っていることから、運動時に裾がずれ上がりやすい。また、裾まわりに緊締力を持たせていることから、鼠蹊溝が不快という問題もある。
【０００５】
このように、従来のボトム衣類では、楽なつけ心地及び優れた外観と、ヒップアップ効果との両立が不可能であった。
【０００６】
そこで、本発明は、つけ心地が楽で、外観に優れ、かつ、ヒップアップ効果を有するボトム衣類を提供することを目的とする。
【課題を解決するための手段】
【０００７】
前記目的を達成するために、本発明のボトム衣類は、
ボトム衣類であって、
本体と、一対のヒップ支持部材と、一対の芯地とを含み、
前記一対のヒップ支持部材のうち、
一方は、着用時において、左臀溝に沿うように前記本体の肌側に配置され、かつ、その後中心側の一端が前記本体の股部付近と固定され、その他端が脇付近で前記本体と固定されており、
他方は、着用時において、右臀溝に沿うように前記本体の肌側に配置され、かつ、その後中心側の一端が前記本体の股部付近と固定され、その他端が脇付近で、前記本体と固定されており、
前記一対のヒップ支持部材は、それぞれ、その下辺で折り返されている折り返し形状であり、
前記一対の芯地のうち、
一方は、前記一方のヒップ支持部材の肌側と本体側との間に配置され、かつ、前記本体側に固定されているが、前記肌側から遊離されており、
他方は、前記他方のヒップ支持部材の肌側と本体側との間に配置され、かつ、前記本体側に固定されているが、前記肌側から遊離されており、
前記一対の芯地が、互いに分離されていることを特徴とする。
【発明の効果】
【０００８】
本発明によれば、つけ心地が楽で、外観に優れ、かつ、ヒップアップ効果を有するボトム衣類を提供可能である。
【図面の簡単な説明】
【０００９】
【図１】図１は、本発明のボトム衣類の第１の実施形態に係るショーツ１０００を示す。図１（ａ）は、着用時におけるショーツ１０００の正面斜視図を示し、図１（ｂ）は、着用時におけるショーツ１０００の背面斜視図を示す。図１（ｃ）は、着用時におけるショーツ１０００の一対のヒップ支持部材２００Ａ及び２００Ｂ、一対の芯地３００Ａ及び３００Ｂ、並びにベルト部材４００の背面図を示す。図１（ｃ）は、説明の便宜上、着用者を省略した図である。
【図２】図２は、図１に示すショーツ１０００における一対のヒップ支持部材２００Ａ及び２００Ｂ、一対の芯地３００Ａ及び３００Ｂ、並びに本体１００における股部５００を示す図である。図２（ａ）は、図１のショーツ１０００を平置きにした状態における、一対のヒップ支持部材２００Ａ及び２００Ｂ、一対の芯地３００Ａ及び３００Ｂ、並びに本体１００における股部５００を示す部分的な概略図であり、図２（ｂ）は、図２（ａ）のＩ−Ｉ方向断面図である。
【図３】図３は、本発明のボトム衣類の第１の実施形態に係るショーツの別の一例であるショーツ１１００を裏返し、前見頃側から見た概略図である。
【図４】図４は、本発明のボトム衣類の第１の実施形態に係るショーツの別の一例を示す。図４（ａ）は、着用時におけるショーツ２０００の正面斜視図を示し、図４（ｂ）は、着用時におけるショーツ２０００の背面斜視図を示す。
【図５】図５は、本発明のボトム衣類の第１の実施形態に係るショーツの別の一例を示す。図５（ａ）は、着用時におけるショーツ３０００の正面斜視図を示し、図５（ｂ）は、着用時におけるショーツ３０００の背面斜視図を示す。
【図６】図６は、着用評価における運動後のヒップの状態を示す模式図である。
【図７】図７は、伸長回復性試験に用いる伸び率と荷重との関係を示す曲線を示す図である。
【発明を実施するための形態】
【００１０】
以下、本発明のボトム衣類について、図１〜図５を用いて、例をあげて説明する。ただし、本発明は、以下の例に限定及び制限されない。なお、図１〜図５において、同一部分には同一の符号を付している。
【００１１】
以下、「前」「後」とは、着用時において、前身頃側を前、後身頃側を後とした場合の前後方向をいい、「上」「下」とは、着用時における上下方向をいい、「左」「右」とは、着用時における左右方向をいう。
【００１２】
（第１の実施形態）
図１に、本発明のボトム衣類の第１の実施形態に係るショーツ１０００を示す。図１（ａ）は、着用時におけるショーツ１０００の正面斜視図を示し、図１（ｂ）は、着用時におけるショーツ１０００の背面斜視図を示す。図１（ａ）及び（ｂ）において、点線で囲まれる領域は、対応する部材２００及び３００が、着用時における本体１００の肌側に設けられていることを示す。図１（ｃ）は、着用時のショーツ１０００における、一対のヒップ支持部材２００Ａ及び２００Ｂ、一対の芯地３００Ａ及び３００Ｂ、並びにベルト部材４００の背面を示す部分的な概略図を示す。図１（ｃ）は、説明の便宜上、着用者を省略した図である。
【００１３】
図２（ａ）は、図１のショーツ１０００を平置きにした状態における、一対のヒップ支持部材２００Ａ及び２００Ｂ、並びに一対の芯地３００Ａ及び３００Ｂと、本体１００における股部５００とを示す部分的な概略図であり、図２（ｂ）は、図２（ａ）のＩ−Ｉ方向断面図である。ヒップ支持部材２００Ａ及び２００Ｂは、伸縮性部材であり、図２（ａ）および（ｂ）に示すように、それぞれ、一重の伸縮性部材を折り返して二重にした折り返し形状であり、その内部、すなわち、肌側と本体側との間に、一対の芯地３００Ａ及び３００Ｂが配置されている。
【００１４】
図１に示すように、本実施形態のショーツ１０００は、ショートタイプのショーツである。ショーツ１０００は、本体１００と、一対のヒップアップ支持部材２００Ａ及び２００Ｂと、一対の芯地３００Ａ及び３００Ｂと、ベルト部材４００とを含む。以下、一対のヒップアップ支持部材２００Ａ及び２００Ｂをまとめて一対のヒップアップ支持部材２００ということがあり、一対の芯地３００Ａ及び３００Ｂをまとめて一対の芯地３００ということがある。
【００１５】
本体１００は、図１に示すように、例えば、前身頃領域１０１と、前身頃領域１０１に対向する後身頃領域１０２とを含む。本発明において、本体１００は、この形態には限定されない。本体１００において、着用者の股付近に対応する領域を、股部といい（股領域ともいう）、前記股部は、例えば、マチ領域、またはクロッチ領域ともいう。本体１００は、例えば、前身頃領域１０１と後身頃領域１０２とで構成され、前身頃領域１０１及び後身頃領域１０２における一部が前記股部となってもよい。また、本体１００は、例えば、前身頃領域と後身頃領域と股部とで構成されてもよい。この場合、前記股部は、例えば、前記前身頃領域と前記後身頃領域との間であって、着用者の股付近に対応する領域に配置され、前記両者に連結されてもよい。本体１００は、例えば、前記股部に、さらに股布が配置されてもよい。前記股布は、例えば、前身頃領域１０１及び後身頃領域１０２と同じ部材でもよいし、異なる部材でもよい。
【００１６】
本発明において、「連結」とは、特に制限されず、例えば、縫合による連結、接着による固定、両部材を一体として編み上げる方法等があげられ、特に制限されないが、十分な固定強度の点から、縫合による連結が好ましい（以下、同様）。
【００１７】
一方のヒップ支持部材２００Ａは、図１（ｂ）に示すように、着用時において、左臀溝に沿うように本体１００の肌側に配置される。そして、図２において、ヒップ支持部材２００Ａは、その後中心側の一端（Ｐ付近）が本体１００の股部５００付近に固定され、その他端（Ｑ付近）が脇付近で本体１００に固定されている。具体例として、図２において、ヒップ支持部材２００Ａは、例えば、後中心側の一端であるＰとＰ’の間およびＰとＰ’’の間において、本体１００の股部５００付近に固定され、他端であるＱとＱ’の間およびＱとＱ’’の間において、本体１００の脇付近で本体に固定されている。
【００１８】
他方のヒップ支持部材２００Ｂは、図１（ｂ）に示すように、着用時において、右臀溝に沿うように本体１００の肌側に配置される。そして、ヒップ支持部材２００Ｂは、その後中心側の一端（Ｒ付近）が本体１００の股部付近に固定され、その他端（Ｓ付近）が脇付近で本体１００に固定されている。具体例として、図２において、ヒップ支持部材２００Ｂは、例えば、後中心側の一端であるＲとＲ’の間およびＲとＲ’’の間において、本体１００の股部５００付近に固定され、他端であるＳとＳ’の間およびＳとＳ’’の間において、本体１００の脇付近で本体１００に固定されている。
【００１９】
図１（ａ）に示すショーツ１０００では、一対のヒップ支持部材２００のそれぞれの他端（Ｑ付近及びＳ付近）は、前身頃領域１０１寄りに位置しているが、脇付近であれば、これに限定されず、例えば、脇線上に位置してもよいし、後身頃領域１０２寄りに位置していてもよい。
【００２０】
図１及び図２に示すショーツ１０００では、一方のヒップ支持部材２００Ａの一端における点Ｐ及び点Ｐ’と他方のヒップ支持部材２００Ｂの一端における点Ｒ及びＲ’とが一致しているが、本実施形態では、これに限定されず、一致していなくてもよい。
【００２１】
本発明において、「固定」とは、特に制限されず、例えば、縫合による固定、接着による固定等があげられ、特に制限されないが、十分な固定強度の点から、縫合による固定が好ましい（以下、同様）。
【００２２】
一対のヒップ支持部材２００Ａ及び２００Ｂは、図２（ａ）および（ｂ）に示すように、それぞれ、一重の部材を、その下辺Ｌで折り返して二重にした折り返し形状である。ヒップ支持部材２００Ａ及び２００Ｂは、二重構造であるともいえる。折り返し部分である下辺Ｌは、「わさ」ともいう。このため、一対のヒップ支持部材２００Ａ及び２００Ｂは、それぞれ、例えば、着用時において前記わさが下側に位置するように形成される。
【００２３】
一対の芯地３００Ａ及び３００Ｂは、図２（ａ）および（ｂ）に示すように、それぞれ、折り返し形状であるヒップ支持部材２００Ａ及び２００Ｂにおいて、その肌側と本体１００側との間に配置される。一対の芯地３００Ａ及び３００Ｂは、それぞれ、本体１００側に固定されているが、前記肌側からは遊離されており、一対の芯地３００Ａ及び３００Ｂは、互いに分離されている。
【００２４】
ベルト部材４００は、伸縮性部材であり、例えば、図１に示すように、その下辺Ｖにおいて、本体１００の上端領域に固定されている。なお、本発明において、ベルト部材４００は、任意の構成要素である。
【００２５】
本発明は、前述のように、芯地３００を有するヒップ支持部材２００を備える。この構成により、本発明のボトム衣類は、まず、ヒップ支持部材２００によって、着用者の臀部を持ち上げるヒップアップの補整効果を奏する。そして、本発明では、さらに、ヒップ支持部材２００は、それぞれ、後中心側の一端とその他端とにおいて、本体１００に固定され、また、その形状は、それぞれ、わさが下側に位置する折り返し形状であって、その内部に、芯地３００が挟まれ、芯地３００は、それぞれ肌とは反対の本体側に固定されている。この構成により、本発明のボトム衣類は、例えば、以下のような効果が得られる。すなわち、本発明のボトム衣類は、ヒップ支持部材２００の肌側が、ヒップの動きに追随して、位置がずれてしまう場合がある。しかしながら、ヒップ支持部材２００は折り返し形状となっており、その肌側と本体側とは別々に動くため、前記本体側に固定されている芯地３００の位置は、臀溝付近からはずれ難い。つまり、ヒップに動きが生じて、ヒップ支持部材２００の肌側にずれが生じても、芯地３００は、サポートしたい適切な位置への配置が維持できる。そして、本体１００も、ヒップ支持部材２００の前記肌側の動きに追随しない。このため、本発明のボトム衣類は、例えば、フィット感に優れ、裾もずり上がり難く、着用者が動いた後でも、造形性を保つことができる。
【００２６】
また、本発明のボトム衣類は、本体１００にヒップ支持部材２００の一部が固定されているが、ヒップ支持部材２００内部の芯地３００は、本体１００ではなく、ヒップ支持部材２００の本体側に固定化されている。このため、例えば、ヒップアップに寄与する芯地３００に、本体１００よりも相対的に緊締力が強い素材を使用しても、芯地３００が本体１００に固定されていないため、本体１００に負荷がかかり、破損してしまうことも回避できる。
【００２７】
また、本発明は、ヒップアップ機能を奏するヒップ支持部材２００を折り返し形状とし、ヒップ支持部材２００の内部に芯地３００の挟み込む形態である。このため、例えば、ヒップ支持部材２００に張りを出すことができ、それに伴って、芯地３００を所望の大きさに広げる設計が可能である。芯地３００の大きさとは、例えば、着用時において、臀溝に略沿う方向の長さ、及び、前記臀溝方向に対する略直交方向の長さ等である。以下、本発明のボトム衣類およびその各構成部材について、着用時において臀溝に略沿う方向を、「臀溝方向」といい、前記臀溝方向に対する略直交方向を、直交方向という。
【００２８】
また、本発明は、前述のように、芯地３００が、互いに分離されている。この構成により、本発明のボトム衣類は、例えば、片方の臀部の動きが、前記臀部に対応する側の芯地を介して、他方の芯地に伝わらない。このため、本発明のボトム衣類は、例えば、一方の臀部の動きによって、他方の臀部側の裾がずり上がり難い。身体の中でも臀部は、左右が対称であるものの、その動きは、それぞれ分離しているため、本発明のように、一方の臀部の動きが反対の臀部に対応する箇所に及ぼす影響を低減できることは有利な効果といえる。
【００２９】
また、本発明は、前述のように、ヒップアップ機能を奏するヒップ支持部材２００が、本体１００の肌側に配置されており、且つ、ヒップ支持部材２００の本体１００への固定位置が、全周囲ではなく前記両端である。この構成により、例えば、ヒップ支持部材２００が外観からはわかり難く、着け心地や見た目が軽く、本体１００によって、可愛く、おしゃれな外観に自由にデザインできる。また、本発明は、このような構造から、例えば、ショーツに限定されず、ペチコートやタップパンツ等のランジェリー、水着等の様々なボトム衣類のアイテム展開や、デザイン展開も可能となる。また、本発明は、本体１００に、芯地３００を有するヒップ支持部材２００が設けられているため、例えば、ボトム衣類とは別個に補整用アイテムを着用することなく、本発明のボトム衣類の一枚履きで、ヒップアップ機能を得ることができる。
【００３０】
また、本発明は、これらの構造とすることによって、例えば、従来のボトム衣類（例えば、特許文献１）のように、緊締力の強い素材を本体１００に使用する必要がないため、全体を締め付けず、軽い着用感で、つけ心地が良く、一日中楽に着用できる。また、本発明は、そのような緊締力の強い素材を使用することによってお洒落さを損なうこともない。
【００３１】
本実施形態のショーツは、例えば、図１に示すように、ヒップ支持部材２００Ａ及び２００Ｂが、それぞれ、他端Ｑ付近及びＳ付近において、ベルト部材４００に固定されていることが好ましい。
【００３２】
図１（ｃ）に示すように、ヒップ支持部材２００及びベルト部材４００が、ベルト部材４００に固定化されることによって、略逆三角形（略デルタ形状ともいう）のフレームが形成されている。なお、図１（ｃ）において、点線は、未着用時におけるヒップ支持部材２００とベルト部材４００の状態を示し、実線は、着用時におけるヒップ支持部材２００とベルト部材４００状態を示す。ショーツ１０００は、着用することによって、ベルト部材４００が、未着用時の位置から、矢印Ｙの方向（横方向）に引き伸ばされる。そして、ベルト部材４００に固定されたヒップ支持部材２００の下点Ｎが、矢印Ｚの方向（上方向）に引き伸ばされ、矢印Ｗの方向にヒップを押し上げる作用が働く。このようにベルト部材４００を備えることで、ベルト部材４００がウエスト付近を穏やかに押さえながら、ヒップ支持部材２００をより効果的に吊り上げ、ヒップアップ効果をより安定に保つことができる。
【００３３】
一対の芯地３００は、一対のヒップ支持部材２００の本体側に固定されていればよく、前記本体側における固定位置は、特に制限されない。図２に示すように、芯地３００Ａ及び３００Ｂは、それぞれ、例えば、臀溝方向における向かい合う一対の辺、すなわち、その上辺Ｇの一部及び下辺Ｈの一部において、ヒップ支持部材２００Ａ及び２００Ｂの本体１００側に固定されている。このように、芯地３００の全周囲とは異なり、その一対の辺である上辺Ｇの一部及びその下辺Ｈの一部で固定することによって、芯地３００の動きによるヒップ支持部材２００のよれの発生を防止できる。
【００３４】
図２に示すように、芯地３００の上辺Ｇ及び下辺Ｈは、それぞれ、例えば、左臀溝及び右臀溝に略平行であることが、ヒップアップの補整効果の観点から好ましい。
【００３５】
図２に示すように、芯地３００Ａ及び３００Ｂと股部５００との間であり且つ左右の芯地３００Ａと３００Ｂとの間には、伸縮性領域Ｅが設けられていることが好ましい。伸縮性領域Ｅは、例えば、伸縮性部材であるヒップ支持部材２００Ａ（又は２００Ｂ）において、本体１００の股部５００から一定距離を有し且つ他方のヒップ支持部材２００Ｂ（又は２００Ａ）から一定距離を有する部位に、芯地３００Ａ（又は３００Ｂ）を配置することにより、確保できる。このように、伸縮性領域Ｅを有することによって、例えば、着用時における一方の臀部の動きに対し、他方の臀部に対応する芯地に与える影響を、より効果的に抑えることができ、芯地３００Ａ及び３００Ｂが、それぞれ独立して、別々の動きをすることができる。
【００３６】
本体１００の素材は、特に制限されず、例えば、編物、織物等の生地が挙げられる。前記編物は、例えば、経編でも緯編でもよい。具体例としては、例えば、天竺、トリコット、パワーネット、ツーウェイラッセル、ダブルラッセル等の素材が挙げられる。本体１００の前身頃領域１０１及び後身頃領域１０２は、例えば、同一素材から構成された一体化物でもよいし、異なる素材が連結されたものでもよい。
【００３７】
本体１００において股部５００の素材は、例えば、前身頃領域１０１及び後身頃領域１０２と同一素材でもよいし、異なる素材でもよい。
【００３８】
ヒップ支持部材２００の素材は、特に制限されず、緊締力を有する素材であればよく、本体１００よりも強い緊締力の素材であることが好ましく、具体的には、本体１００よりも大きい緊締力の素材であることが好ましい。前記素材としては、例えば、パワーネット、サテンパワーネット、ツーウェイトリコット等の伸縮素材等が挙げられる。
【００３９】
「緊締力」は、例えば、素材が対象物を締め付ける力を表す物性である。前記緊締力は、例えば、素材の伸長力（Ａ）と緊迫力（Ｂ）との平均値（（Ａ＋Ｂ）／２）から算出することができる。前記伸長力および緊迫力は、例えば、後述する伸長回復性試験により求めることができる。以下、例示する緊締力は、前記伸長回復性試験における３０％伸長時の伸長力の平均値（ｃＮ）および緊迫力の平均値（ｃＮ）として示す。
【００４０】
ヒップ支持部材２００の緊締力は、特に制限されないが、例えば、本体１００の緊締力よりも相対的に大きい（強い）ことが好ましい。ヒップ支持部材２００の緊締力と本体１００の緊締力との関係は、例えば、着用時における同方向の緊締力の関係であることが好ましく、具体的には、着用時における前記臀溝方向の緊締力の関係であることが好ましい。
【００４１】
ヒップ支持部材２００の緊締力は、特に制限されず、例えば、１００〜１６０ｃＮである。ヒップ支持部材２００は、例えば、着用時における前記臀溝方向の緊締力が前記範囲であることが好ましい。本体１００の素材が緊締力を有する素材である場合、本体１００の緊締力は、特に制限されず、例えば、３０〜１００ｃＮであり、ヒップ支持部材２００の緊締力は、例えば、本体１００の緊締力の１．２〜５倍であることが好ましい。
【００４２】
ヒップ支持部材２００は、前述のように、その下辺Ｌは、折り返されているが、その上辺は、スムージング仕様であることが好ましい。ヒップ支持部材２００は、例えば、その上辺がスムージング仕様であることによって、臀部における段差の発生を防止できる。
【００４３】
ヒップ支持部材２００の大きさは、特に制限されず、例えば、本発明のボトム衣類を裏返して平置きした場合、着用時の前記臀溝方向の長さが、例えば、２４〜３０ｃｍであり、着用時の前記直交方向の長さが、例えば、６〜１５ｃｍである。ここで、ヒップ支持部材２００について、前記臀溝方向とは、例えば、図２（ａ）で示すＬ１方向であり、長手方向ともいい、前記直交方向とは、例えば、図２（ａ）で示すＬ２方向であり、短手方向ともいう。
【００４４】
芯地３００の素材は、特に制限されず、例えば、安定してヒップアップ補整効果を奏するとの観点から、ハリ及びコシがある素材が好ましく、具体的には、例えば、非伸縮素材又は難伸縮性素材であることが好ましい。前記非伸縮性素材又は難伸縮性素材としては、例えば、ワンウェイサテンパワーネット等のパワーネット等が挙げられる。
【００４５】
芯地３００の緊締力は、特に制限されないが、それぞれ、着用時における前記臀溝方向における緊締力が、着用時における前記直交方向における緊締力よりも相対的に大きいことが好ましい。芯地３００の素材は、特に制限されず、例えば、このような物性を有する素材を、適宜選択し、前記臀溝方向と前記直交方向の関係に従って配置すればよい。ここで、芯地３００について、前記臀溝方向とは、例えば、図２（ａ）で示すＬ１方向であり、前記直交方向とは、例えば、図２（ａ）で示すＬ２方向である。
【００４６】
芯地３００は、着用時において、前記臀溝方向（Ｌ１方向）及び前記直交方向（Ｌ２方向）の一方又は両方が、例えば、実質的に伸びないものでもよいし、前記臀溝方向（Ｌ１方向）及び前記直交方向（Ｌ２方向）が、緊締力を有するものでもよい。前者の場合、「実質的に伸びない」とは、例えば、緊締力が０ｃＮということができる。前記臀溝方向（Ｌ１方向）及び前記直交方向（Ｌ２方向）の一方が実質的に伸びない場合、他方の緊締力は、特に制限されず、例えば、１２０〜１７０ｃＮである。また、後者の場合、着用時において、前記臀溝方向（Ｌ１方向）の緊締力及び前記直交方向（Ｌ２方向）の緊締力は、それぞれ、例えば、１２０〜１７０ｃＮであり、「前記Ｌ１方向の緊締力＞前記Ｌ２方向の緊締力」の関係を満たしていることが好ましい。芯地３００は、前記臀溝方向の緊締力が相対的に大きい程、例えば、十分にヒップをサポートでき、前記臀溝方向の緊締力が相対的に小さい程、例えば、十分にヒップにフィットし、芯地がある領域と無い領域との間における着用者の肉による段差の発生を十分に回避できる。前記臀溝方向（Ｌ１方向）の緊締力と前記直交方向（Ｌ２方向）の緊締力との差は、その下限が、例えば、１２０ｃＮ以上であり、その上限が、例えば、１７０ｃＮ以下である。
【００４７】
芯地３００の緊締力は、例えば、本体１００の緊締力及びヒップ支持部材２００の緊締力よりも相対的に大きい（強い）ことが好ましい。芯地３００の緊締力は、例えば、本体１００の緊締力の１．２〜５．７倍であることが好ましく、また、ヒップ支持部材２００の緊締力の１．２〜１．７倍であることが好ましい。芯地３００の緊締力と、本体１００の緊締力及びヒップ支持部材２００の緊締力との関係は、例えば、着用時における同方向の緊締力の関係であることが好ましく、具体的には、着用時における前記臀溝方向の緊締力の関係であることが好ましい。
【００４８】
芯地３００の大きさは、特に制限されず、例えば、本発明のボトム衣類を裏返して平置きした場合、着用時の前記臀溝方向の長さが、例えば、１０〜１６ｃｍであり、着用時の前記直交方向の長さが、例えば、５〜１４ｃｍである。
【００４９】
以下に、素材の緊締力の測定法を説明する。なお、本発明は、この測定法により限定されるものではない。
【００５０】
緊締力は、前述のように、伸長回復性試験における３０％伸長時の伸長力（Ａ）と緊迫力（Ｂ）との平均値（（Ａ＋Ｂ）／２）（単位：ｃＮ）として示すことができる。前記伸長回復試験は、例えば、以下のようにして行うことができる。
【００５１】
まず、測定対象の素材から、１６０ｍｍ×２５ｍｍの試験片を採取する。本発明のボトム衣類（ショーツ１００）における前記臀溝方向（Ｌ１方向）の緊締力を評価する場合は、前記臀溝方向（Ｌ１方向）の長さを１６０ｍｍとし、前記直交方向（Ｌ２方向）の長さを２５ｍｍとした長手方向試験片とし、本発明のボトム衣類（ショーツ１００）における前記直交方向（Ｌ２方向）の緊締力を評価する場合は、前記直交方向（Ｌ２方向）の長さを１６０ｍｍとし、前記臀溝方向（Ｌ１方向）の長さを２５ｍｍとした短手方向試験片とする。
【００５２】
そして、前記試験片について、１６０ｍｍの長さ方向を上下方向に向けて、その両端をクリップで挟み、定速伸長型引張試験機（島津製作所製、商品名オートグラフ  ＡＧ−５００Ｄ）に取り付ける。前記クリップによる上部のつかみ長さは２５ｍｍ、下部のつかみ長さは３５ｍｍとし、その間の距離（つかみ間隔）を１００ｍｍとする。そして、前記定速伸長型引張試験機により、前記試験片を、３００ｍｍ±２０ｍｍ／分の速度で伸び率８０％になるまで上下方向に伸長させ、その後、回復させる。この際、伸び率０〜３０％の範囲における、各伸び率（％）に対する荷重（ｃＮ）を測定する。前記伸び率は、下記式で表される。この伸長回復の操作を３回繰り返し、伸び率（％）と、これに対応する測定した荷重（ｃＮ）とに基づき、図７に示す伸び率と荷重との関係を示す曲線を作成する。荷重は、伸長時の荷重が「伸長力」を示し、回復時の荷重が「緊迫力」を示す。この曲線から、３０％伸長時における、伸長回復の１回目と３回目の伸長力（ｃＮ）および緊迫力（ｃＮ）をそれぞれ測定し、伸長力および緊迫力について、それぞれ２回の測定の平均値を整数位で表す。前記整数位の結果を、３０％伸長時の伸長力（ｃＮ）と３０％伸長時の緊迫力（ｃＮ）とする。
伸び率（％）  ＝  ［（ｂ−ａ）／ａ］×１００（％）
ａ：伸長前の試験片の長さ（伸長前のつかみ間隔の試験片の長さ）
ｂ：伸長後の試験片の長さ（伸長後のつかみ間隔の試験片の長さ）
【００５３】
ベルト部材４００は、例えば、ヒップ支持部材と同様に、一重の部材を、折り返して二重にした折り返し形状であり、その上辺Ｕで折り返されていることが好ましい。折り返し部分である上辺Ｕは、「わさ」ともいう。このため、ベルト部材４００は、例えば、着用時において前記わさが上側に位置するように形成される。
【００５４】
ベルト部材４００の素材は、特に制限されず、例えば、ヒップ支持部材と同様の素材が使用できる。
【００５５】
本実施形態において、本体１００は、前述の構成には構成されず、例えば、さらに、股布５２０と前当布５１０とを備えてもよい。図３に、本体１００が股布５２０と前当布５１０とを有するショーツ１１００を示す。図３は、ショーツ１１００を裏返し、前見頃側から見た概略図である。図３において、図１及び図２と同じ部位には、同一符号を付している。図３に示すように、本体１００は、股部５００に股布５２０が配置され、前当布５１０は、股布５２０の前見頃側の上端とベルト部材４００の下辺Ｖの前見頃側とを連結している。この形態によれば、例えば、股布５２０を介して、前当布５１０とヒップ支持部材２００とが互いに引っ張り合う状態になるため、ヒップ支持部材２００の位置が安定し、より高いヒップアップ効果が得られる。
【００５６】
以上、本実施形態のボトム衣類として、ショーツを例として説明したが、本実施形態のボトム衣類はこれに限定されず、例えば、ランジェリータイプのボトム衣類等に適用できる。
【００５７】
具体的なランジェリータイプのボトム衣類の一例としては、例えば、図４に示すショーツ２０００のように、タップパンツのタイプのものが挙げられる。図４（ａ）は、着用時におけるショーツ２０００の正面図を示し、図４（ｂ）は、着用時におけるショーツ２０００の背面図を示す。図４に示すショーツ２０００は、本体６００を構成する前身頃領域６０１及び後身頃領域６０２がタップパンツのタイプで構成されていること以外は、図１に示すショーツ１０００または図３に示すショーツ１１００と同様である。
【００５８】
具体的なランジェリータイプのボトム衣類の別の一例としては、例えば、図５に示すショーツ３０００のように、ペチコートのタイプのものが挙げられる。図５（ａ）は、着用時におけるショーツ３０００の正面図を示し、図５（ｂ）は、着用時におけるショーツ３０００の背面図を示す。図５に示すショーツ３０００は、本体７００を構成する前身頃領域７０１及び後身頃領域７０２がペチコートのタイプで構成されていること以外は、図１に示すショーツ１０００または図３に示すショーツ１１００と同一である。
【実施例】
【００５９】
本発明のボトム衣類として、図３に示すショーツ１１００を作製し、着用評価を行った。また、比較例として、ヒップ支持部材２００及び芯地３００を備えていない従来の一般的なショーツ、参考例として、本体全体に緊迫力があるヒップ補整機能を示す従来のガードルについても、同様に着用評価を行った。
【００６０】
被検者に、実施例のショーツ、比較例のショーツ及び参考例のガードルをそれぞれ着用させ、屈伸運動を２回と、腿上げ運動を左右２回ずつ行わせた。その後、外観から、ヒップアップ効果とヒップ下のたるみの解消を評価した。この結果を、図６に示す。図６において、（ａ）が比較例のショーツを着用した運動後の状態を示す模式図であり、（ｂ）が実施例のショーツを着用した運動後の状態を示す模式図であり、（ｃ）が参考例のガードルを着用した運動後の状態を示す模式図である。図６において、水平に描かれた点線は、実施例のショーツのヒップトップの位置を示しており、黒矢印は、それぞれ、実施例のショーツ、比較例のショーツ及び参考例のガードルのヒップトップの位置を示している。
【００６１】
図６に示すように、比較例のショーツでは、ヒップトップが、参考例のガードルの着用時よりも下の位置となり、また、白抜き矢印で示すようにヒップ下のたるみが見られた。これに対して、実施例のショーツは、ヒップトップが、参考例のガードルの着用時と同等であり、また、ヒップ下のたるみも見られなかった。このことから、本発明のショーツ１１００は、一般的な補整用ガードルと同様の十分なヒップアップ効果を奏することがわかった。
【００６２】
また、モニター６名による、ショーツ１１００の着用に関する主観的評価を行った結果、「ゆったり楽な感じ」、「下腹がサポートされている」、「やさしくヒップアップを助けてくれる」、「鏡を見るとヒップトップが高い」、「ヒップアップを感じるのにはいた見た目は普通のボーイレングスのショーツのよう」との回答が得られた。このことから、本発明のショーツ１１００は、つけ心地が楽で、外観に優れ、かつ、ヒップアップ効果を有することを確認できた。
【００６３】
以上、本実施形態のボトム衣類として、ショーツ及びランジェリータイプのボトム衣類を例として説明したが、本実施形態のボトム衣類はこれに限定されず、例えば、太ももの付け根を超えて丈がある、いわゆる一分丈ショーツ等のボトム部を有する衣類、ガードル等の補整ボトム等に適用できる。
【産業上の利用可能性】
【００６４】
本発明のボトム衣類は、種々の態様が可能である。例えば、上記の実施形態のようなファンデーション衣類以外にも、水着等のスポーツ衣類、アウター等、各種のボトム部を有する衣類に適用できる。
【符号の説明】
【００６５】
１００、６００、７００  本体
１０１、６０１、７０１  前身頃領域
１０２、６０２、７０２  後身頃領域
２００  一対のヒップ支持部材
２００Ａ、２００Ｂ  ヒップ支持部材
３００  一対の芯地
３００Ａ、３００Ｂ  芯地
４００  ベルト部材
５００  股部
５１０  前当布
５２０  股布
１０００、１１００、２０００、３０００  ショーツ
Ｅ  伸縮性領域
Ｇ  芯地の上辺
Ｈ  芯地の下辺
Ｏ  後中心
Ｐ、Ｐ’、Ｐ’’、Ｑ、Ｑ’、Ｑ’’、Ｒ、Ｒ’、Ｒ’’、Ｓ、Ｓ’，Ｓ’’  ヒップ支持部材の一端
Ｕ  ベルト部材の上辺
Ｖ  ベルト部材の下辺
Ｌ  ヒップ支持部材の下辺
Ｌ１、Ｌ２  方向
Ｎ  下点
Ｗ、Ｙ、Ｚ  矢印
【図１】
0006458999.tif 000002
【図２】
0006458999.tif 000003
【図３】
0006458999.tif 000004
【図４】
0006458999.tif 000005
【図５】
0006458999.tif 000006
【図６】
0006458999.tif 000007
【図７】
0006458999.tif 000008